【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
咬み合い音および咬み合い振動を採集するマイクと、
該マイクにより採集された前記咬み合い音および前記咬み合い振動、並びに音楽を増幅加減する副器と、
該副器により増幅加減された前記咬み合い音および前記咬み合い振動を側頭骨に伝達するホーンと、
該副器により増幅加減された音楽を聴道に伝達するイヤホーンと、
を備えたことを特徴とする音振動伝達器
【請求項２】
前記マイクおよび前記ホーンは、ヘッドバンドに固定された請求項１に記載の音振動伝達器
【請求項３】
前記副器は、前記マイクにより採集された咬み合い音および咬み合い振動を表示する咬合振動数表示窓を備えた請求項１または請求項２に記載の音振動伝達器
【手続補正２】
【補正対象書類名】明細書
【補正対象項目名】全文
【補正方法】変更
【補正の内容】
【発明の詳細な説明】
【発明の名称】音振動伝達器
【技術分野】
【０００１】
本発明は、咬合振動数を表示する機能を備え、正しく噛んだ音と、その振動と、癒し系音楽と、を脳に伝達して脳の知的能力を増進させる器具に関する。
【背景技術】
【０００２】
咬合音と咬合振動を脳に伝達する器具については、従来から、数個の機器を使って構成した大掛かりな実験機器は存在した。
【０００３】
【非特許文献１】オクルーザルフォースメータを用いた咬合力測定について  日本顎頭蓋機能学会雑誌１０：６１，１９９７
【非特許文献２】低域特性の優れた加速度センサによるMicrovibrationの測定  日本補綴歯科学会雑誌２９：３３７-３４２，１９８５
【非特許文献３】1196904740281_0.htmシステムを用い，咬合接触を検査
【非特許文献４】噛むことと脳の働き、著者、上田実 出版社、デンタルフォーラム、平成１２年１月２０日
【非特許文献５】咀嚼健康法  脳と心を守る  著者、上田実  出版社、中公新書、発刊、１９９８年、１２月
【非特許文献６】かむこと  のむこと  たべること  咀嚼の科学  著者、大橋靖  出版社、医歯薬出版、１９９６年９月
【非特許文献７】[くらし発見]よく[噛む]大切さ（その１）脳の発達促す  歯科関連ニュース IDN News Clip
【発明の開示】
【発明が解決しようとする課題】
【０００４】
従来から良く噛む事は、脳の発達を促す、脳の知的能力を上げると明言され、書物に書かれて来た。
しかしながら、これを普及する簡便な器具及び一般大衆が常用出来る軽便な機器はなかった。
【課題を解決するための手段】
【０００５】
本発明に係る音振動伝達器は、ヘッドホーンに良く似た形態で、人の頭頂より、耳と頬骨の間へ、ヘッドバンドにて吊り下げる小器具であって、図１に示すように、主器１、副器２およびイヤホーン３を有する。
図２に示すように、主器１は、咬合音の採集及び、咬合振動の採集の機能を有する約１００円硬貨大の扁平形状の２個のマイク５及び６と、当該マイク５及び６により採集した咬合音と咬合振動を増幅、加減して送信される約１００円硬貨大の扁平円形状の２個の小型ホーン７及び８と、を配置収納した、長方形状、乃至は、長楕円形状の扁平の小容器である。
【０００６】
また、副器２は、咬合音と咬合振動の再生器と、歌曲を録音した小型カセットと、乾電池１−２個と、をまとめて小容器に収納したものであり、衣服の腰ポケット、又は、ポシェットに入れて使用する。
【０００７】
さらに、副器２には、歩行計の如く、咬合時の振動数を感知して表示する咬合振動数表示窓４が設置されている。
【０００８】
本発明に係る音振動伝達器は、前記した主器１、副器２及びイヤホーン３の３部品以外に、細いコード１３と、ヘッドバンド１５とを備えている。
図１に示すように、咬合音の集音（採集）及び咬合振動の収録（採集）の機能を備えた２個のマイク５及び６は、人の下顎関節の位置の顔面表皮へ密着させる。
また、採集した咬合音と咬合振動を、増幅加減して伝達される２個の小型ホーン７及び８は、人の側頭部の表面に密着させる。
そして、副器２に収納した超小型ラジカセから、使用者の思考、感情の安静を助長する音楽を流して、咬合音と咬合振動を脳に伝達し易くする。
【発明の効果】
【０００９】
幼少年から成人に到るまで、正しい咬合によって発生する噛む音と噛む振動は脳に良い刺激を与えるという研究の実績はある。一方、医療現場において歯科医療機器等が不快音を発する時に、イヤホーンで患者に、癒し系の曲、アルビノーニのアダージョ、アルハンブラ宮殿の思い出、アランフェス協奏曲等を聞かせると、患者の心拍数が安定し、不安感が減少するという研究も現在まで積み重ねられてきた。
本発明は、以上の２つの方法、即ち、咬合音、咬合振動と癒し系音楽を同時に個人の脳に伝達することにより、相乗効果が得られるという効果を奏する。
【発明を実施するための最良の形態】
【００１０】
以下、本発明の実施の形態を図１及び図２に基づいて説明する。
【実施例】
【００１１】
図１は、ヘッドバンド１５にて、下顎頭と即頭骨の中央部に至る範囲に接着させた主器１と、イヤホーン３をコード１３で副器２に接続した状態を示す模式図である。また、図２は、下顎頭１４から側頭骨へかけて主器１を装着した状態を示す拡大模式図である。
【００１２】
（副器２）
つまみ９は、電源のＯＮとＯＦＦをするスイッチである。つまみ１０は、咬合振動の採集と調整音を図２の小型ホーン８に送るスイッチである。つまみ１１は、癒し音楽の調整音をイヤホーン３と図２の小型ホーン７に送るスイッチである。つまみ１２は、咬合音の採集と調整音を図２の小型ホーン７に送るスイッチである。表示窓４は、咬合振動数を表示する表示窓である。
【００１３】
（マイク５及び６）
マイク５は、咬合音を採集し調整して小型ホーン７に送信するためのものである。マイク６は、咬合振動を採集して調整して小型ホーン８に送信するためのものである。
（小型ホーン７及び８）
小型ホーン７は、小型ラジカセから受信した癒し音楽を調整してイヤホーン３と図２の小型ホーン７で受信して側頭骨へ伝達するためのものである。小型ホーン８は、咬合振動を調整して側頭骨へ伝達するためのものである。
【００１４】
本発明は、幼少年は勿論の事、若年、青年、壮年、熟年、老年、全ての年齢層に実施して効果がある。殊に老年は脳の老衰を阻止しボケ防止に効果があると期待できる。
【産業上の利用可能性】
【００１５】
実施例に記載した効果もさること乍ら、図１の咬合振動数表示窓４は、幼少年、青年に良く噛む事を勧める動機と効果について、母と子の会話「お母さん僕は今日３０００回も噛んだよ」「まあ、偉かったわねー、○○幼稚舎（又は○○高校）へ合格の確率は 急上昇よ」このようにプラス効果を期待できる。
【図面の簡単な説明】
【００１６】
【図１】下顎頭から側頭骨へ接着させた２個のマイクと２個のホーンと、咬合振動数表示器を具えた咬合音咬合振動調整器の略図
【図２】下顎頭から側頭骨へ接着させた２個のマイクと２個のホーンの位置図
【符号の説明】
【００１７】
１  主器
２  副器
３  イヤホーン
４  咬合振動数表示窓
５  咬合音採集マイク
６  咬合振動採集マイク
７  咬合音伝達マイクロホーン
８  咬合振動伝達マイクロホーン
９  電源ＯＮ，ＯＦＦつまみ
１０  咬合振動採集調整つまみ
１１  癒し音楽調整つまみ
１２  咬合音採集調整つまみ
１４  下顎頭